(57)【要約】【課題】撮影レンズの光軸と撮像センサの中心位置との調整が容易なカメラ装置を提供することを目的とする。【解決手段】カメラ装置本体２と、カメラ装置本体２に撮影レンズ１を取り付けるための取り付け部１１を備えるカメラ装置１０において、取り付け部１１は、カメラ装置本体２に設けられた円筒状の部材で構成されたベース部３と、撮影レンズ１の一端に固定されるホルダ部４であって、ベース部３に当接し、撮影レンズ１の光軸Ｃと直交する方向に移動可能なホルダ部４と、ベース部３に螺合可能な円筒状の部材で構成され、ベース部３との間にホルダ部４を挟んでベース部３と螺合することでホルダ部４をベース部３に固定するストッパ部５とを備える。【選択図】図１
2016006456.tif 000002
【特許請求の範囲】
【請求項１】
カメラ装置本体と、前記カメラ装置本体に撮影レンズを取り付けるための取り付け部を備えるカメラ装置において、前記取り付け部は、
前記カメラ装置本体に設けられた円筒状の部材で構成されたベース部と、
撮影レンズの一端に固定される部材であって、前記ベース部に当接し、撮影レンズの光軸と直交する方向に移動可能なホルダ部と、
前記ベース部に螺合可能な円筒状の部材で構成され、前記ベース部との間に前記ホルダ部を挟んで前記ベース部と螺合することで前記ホルダ部を前記ベース部に固定するストッパ部とを備える
カメラ装置。
【請求項２】
前記ベース部の内周面には、撮影レンズの光軸と直交する面を有する平面部が設けられ、
前記ホルダ部は、前記平面部に当接するフランジ部を有し、
前記ストッパ部は前記平面部との間に前記フランジ部を挟んで前記ベース部と螺合することで前記ホルダ部を前記ベース部に固定する
請求項１に記載のカメラ装置。
【請求項３】
撮影レンズの位置の調整は、
前記ストッパ部の前記ベース部への螺合を緩め、撮影レンズが固定された前記ホルダ部を光軸と直交する方向に移動させることで行う
請求項１又は２に記載のカメラ装置。
【請求項４】
前記ベース部の、前記平面部よりも撮影レンズ側の内径は、前記フランジ部の外径よりも大きい
請求項２又は３に記載のカメラ装置。
【請求項５】
前記ホルダ部と前記ストッパ部との間に、中空の円盤形状の座金を有し、
前記ホルダ部の移動は、前記ホルダ部が前記平面部及び前記座金に当接している状態で行う
請求項１〜４のいずれかに記載のカメラ装置。
【発明の詳細な説明】
【技術分野】
【０００１】
本発明は、ＣマウントやＣＳマウントなどのねじマウント方式を用いたカメラ装置に関する。
【背景技術】
【０００２】
近年、監視カメラは、店舗、銀行、路上、駐車場など、屋内外を問わず様々な場所への設置が増えている。ＣマウントやＣＳマウントなどのねじマウント方式の監視カメラは、使用者が撮影したい画角や距離に適した撮影レンズを選び、監視カメラ本体に取り付けができるので、汎用性が高く便利である。
【０００３】
しかしながら、これらのねじマウント方式の監視カメラは、監視カメラ本体に取り付けられる撮影レンズの光軸と、監視カメラ本体内部に保持されている撮像センサの撮像中心とにずれが発生することが知られている。そして、このずれを補正する調整機構を監視カメラに搭載する技術が提案されている（特許文献１参照）。
【０００４】
特許文献１では、撮影レンズを保持するレンズ保持枠に対して、カメラボディに固定されるマウント枠の位置を調整することで、撮影レンズの中心と撮像センサの撮像中心とのずれを調整する構成が記載されている。ここでは、光軸を中心としたマウント枠の円周方向の４箇所がシフトねじによって支持されており、４本のシフトねじの締め付けを調整することによってマウント枠の位置を光軸と直交する方向に調整し、固定することができる。
【先行技術文献】
【特許文献】
【０００５】
【特許文献１】特開平１０−１１５７５７号公報
【発明の概要】
【発明が解決しようとする課題】
【０００６】
以上のように、ＣマウントやＣＳマウントなどのねじマウント方式では、監視カメラ本体の撮影レンズが螺合されるねじ部の中心と撮像センサの撮像中心とは、部品精度や組み立て精度に依存し、一致することがほとんどない。また、撮影レンズのねじ部と監視カメラ本体のねじ部との螺合ガタなどの影響で、撮影レンズの光軸と監視カメラ本体のねじ部の中心軸は必ずしも一致しない。
【０００７】
そして、撮影レンズの光軸と撮像センサの撮像中心とにずれが生じていると、特に撮影レンズとして撮影画角の広い広角撮影レンズを選択した場合に、ケラレが発生してしまうという問題がある。
【０００８】
一方、前述した特許文献１の調整方法では、光軸を中心としたマウント枠の円周方向の４箇所に設けられたシフトねじの締め付けを調整するため作業が複雑であり、さらに、調整に要する複数のシフトねじなどをレイアウトする上で所定のスペースが必要になる。
【０００９】
そこで、本発明は、撮影レンズの光軸と撮像センサの中心位置との調整が容易なカメラ装置を提供することを目的とする。
【課題を解決するための手段】
【００１０】
上記課題を解決するために、例えば特許請求の範囲に記載の構成を採用する。本願は、上記課題を解決する手段を複数含んでいるが、その一例を挙げるならば、カメラ装置本体と、カメラ装置本体に撮影レンズを取り付けるための取り付け部を備えるカメラ装置において、取り付け部は、カメラ装置本体に設けられた円筒状の部材で構成されたベース部と、撮影レンズの一端に固定される部材であって、ベース部に当接し、撮影レンズの光軸と直交する方向に移動可能なホルダ部と、ベース部に螺合可能な円筒状の部材で構成され、ベース部との間にホルダ部を挟んでベース部と螺合することでホルダ部をベース部に固定するストッパ部とを備えることを特徴とする。
【発明の効果】
【００１１】
本発明によれば、撮影レンズの光軸と撮像センサの中心位置との調整を容易に行うことができる。
【図面の簡単な説明】
【００１２】
【図１】本発明の一実施の形態に係るカメラ装置の全体構成を示す外観斜視図である。
【図２】本発明の一実施の形態に係るカメラ装置を分解した場合の分解斜視図である。
【図３】図１のＡ−Ａ線に沿う沿直線でカメラ装置を切断して矢印方向に見た場合の断面図である。
【図４】図３のＢ−Ｂ線に沿う沿直線でカメラ装置を切断し矢印方向に見たときの断面図であり、調整前の断面図である。
【図５】ストッパ部のベース部に対する螺合を緩めた後の図１のＡ−Ａ線に沿う沿直線で切断して矢印方向に見た断面図である。
【図６】図３のＢ−Ｂ線に沿う沿直線でカメラ装置を切断し矢印方向に見たときの断面図であり、調整後の断面図である。
【発明を実施するための形態】
【００１３】
以下、本発明の実施形態に係るカメラ装置の一例を、図面を参照しながら説明する。なお、本発明は以下の例に限定されるものではない。
【００１４】
〈カメラ装置全体の構成〉
図１は、本発明の一実施の形態に係るカメラ装置の全体構成を示す外観斜視図である。また、図２は、本発明の一実施の形態に係るカメラ装置を分解した場合の分解斜視図である。また、図３は、図１のＡ−Ａ線に沿う沿直線でカメラ装置を切断して矢印方向に見た場合の断面図である。本実施形態におけるカメラ装置１０は、主に防犯、計測などに用いられる監視カメラである。
【００１５】
図１及び図２に示すように、本実施形態のカメラ装置１０は、カメラ装置本体２と、カメラ装置本体２に取り付けられる撮影レンズ１と、カメラ装置本体２に撮影レンズ１を取り付けるための取り付け部１１とを備える。
【００１６】
カメラ装置本体２は、図３に示すように、撮影レンズ１から導かれた光が入射する入射窓９ａが設けられた筐体９と、筐体９内に収容され、撮像センサ７を有する基板８とを備える。その他、図示を省略するが、筐体９内部には、制御部や電源部等が設けられる。撮像センサ７は、入射窓９ａ側に取り付けられる撮影レンズ１の光軸Ｃが、撮像面の撮影中心Ｏにほぼ一致するように筐体９内に配置される。
【００１７】
なお、設計上は、撮像センサ７における撮像面の撮影中心Ｏと、撮影レンズ１の光軸Ｃとが一致するように構成されるが、前述したように、部品精度や組み立て精度によって、撮影中心Ｏと光軸Ｃとが一致することは少ない。本実施形態では、カメラ装置１０の組み立て時において、撮影レンズ１の光軸Ｃと撮像センサ７の撮影中心Ｏとが一致するように調整する。この調整方法については後述する。
【００１８】
撮影レンズ１は、所望の光学系で構成されており、入射した光をカメラ装置本体２の撮像センサ７に導き、撮像センサ７の撮像面に結像させる。撮影レンズ１のカメラ装置本体２側の外周面には後述するホルダ部４に螺合する雄ねじ部１ａが設けられている。撮影レンズ１のカメラ装置本体２への取り付け時において、撮影レンズ１はホルダ部４に固定される。
【００１９】
取り付け部１１は、カメラ装置本体２側から撮影レンズ１側に向かって順に配置されるベース部３、ホルダ部４、ワッシャ６、ストッパ部５を備える。取り付け部１１は、撮影レンズ１から入射した光をカメラ装置本体２側に導くため、筒状に構成されている。
【００２０】
ベース部３は、カメラ装置本体２に設けられる撮像センサ７の撮影中心Ｏを中心軸とする円筒状の部材で形成され、カメラ装置本体２のレンズ取り付け側においてカメラ装置本体２と一体に形成されている。ベース部３の内周面には、後述するストッパ部５の雄ねじ部５ｃと螺合可能な雌ねじ部３ａと、その雌ねじ部３ａよりもカメラ装置本体２側に設けられた縮径部３ｂとが形成されている。雌ねじ部３ａは撮像センサ７の撮影中心Ｏが中心軸となるように設けられている。
【００２１】
また、縮径部３ｂは、ベース部３の雌ねじ部３ａが形成された位置における内径よりも、ベース部３のカメラ装置本体２側の内径を縮径するように設けられている。縮径部３ｂは、撮影レンズ１の光軸Ｃに直交する平面で構成された平面部３ｃを有する。この平面部３ｃが、取り付け部１１の組み立て時において後述するホルダ部４のフランジ部４ｂが当接する面となる。
【００２２】
ホルダ部４は、内周面に雌ねじ部４ａを有する円筒状の部材で構成されたホルダリング４ｃと、そのホルダリング４ｃの外周面の全周に渡って、ホルダリング４ｃの半径方向に張り出すように設けられたフランジ部４ｂとを有する。ホルダリング４ｃの雌ねじ部４ａには撮影レンズ１の雌ねじ部１ａが螺合される。フランジ部４ｂの少なくともカメラ装置本体２側の面は、ホルダリング４ｃの中心軸に対して垂直な面に形成されている。
【００２３】
また、ホルダ部４は、ホルダリング４ｃのフランジ部４ｂよりもカメラ装置本体２側に位置する部分の外径がベース部３の縮径部３ｂの内径よりも小さく、フランジ部４ｂの外径がベース部３の雌ねじ部３aが形成される部分における内径よりも小さくなるように構成されている。ホルダ部４は、カメラ装置本体２への撮影レンズ１の取り付け時において、ホルダリング４ｃのフランジ部４ｂよりもカメラ装置本体２側に位置する部分がベース部３の縮径部３ｂ内に挿入され、フランジ部４ｂのカメラ装置本体２側の面がベース部３の平面部３ｃに当接するように配置される。
【００２４】
さらに、ホルダ部４は、カメラ装置本体２への撮影レンズ１の取り付け時において、フランジ部４ｂよりもカメラ装置本体２側に位置する部分の外周面とベース部３の縮径部３ｂの内周面との間に所定の隙間Ｓ１が形成されるように構成されている。同様に、ホルダ部４はカメラ装置本体２への撮影レンズ１の取り付け時において、フランジ部４ｂの外周端面とベース部３の雌ねじ部３ａが形成された部分の内周面との間に所定の隙間Ｓ２が形成されるように構成されている。ここでは、隙間Ｓ１が隙間Ｓ２よりも十分大きいものとする。そして、本実施形態では、隙間Ｓ２の大きさが、後述する撮影レンズ１の取り付け位置の調整時において、調整可能な幅となる。撮影レンズ１の取り付け位置の調整方法については後述する。
【００２５】
ワッシャ（座金）６は、その外径がホルダ部４のフランジ部４ｂの外径とほぼ同じであり、その内径がホルダ部４のフランジ部４ｂよりも撮影レンズ１側におけるホルダリング４ｃの外径よりも大きい中空の円盤部材で構成されている。また、本実施形態では、ワッシャ６は、表面が平らな、いわゆる平ワッシャである。ワッシャ６は、撮影レンズ１の取り付け時において、ストッパ部５とホルダ部４との間に狭持される。
【００２６】
ストッパ部５は、円筒状の部材で構成されたストッパリング５ａと、ストッパリング５ａの一方の端部に設けられ、ストッパリング５ａの外周面の全周に渡って、ストッパリング５ａの半径方向に張り出すように設けられたフランジ部５ｂとを有する。ストッパリング５ａの内径は撮影レンズ１のカメラ装置本体２側の端部が挿通可能な大きさである。またフランジ部５ｂが設けられる側とは反対側のストッパリング５ａの端部外周面にはベース部３の内周面に設けられた雌ねじ部３ａと螺合する雄ねじ部５ｃが設けられている。そして、ストッパリング５ａの雄ねじ部５ｃが設けられる側の端面はカメラ装置本体２への撮影レンズ１の取り付け時にワッシャ６に当接する。
【００２７】
ストッパ部５は、ベース部３に螺合させて一方の方向に回転させることで、カメラ装置本体２側に移動する。これにより、ストッパ部５は、ベース部３の平面部３ｃとの間にホルダ部４のフランジ部４ｂとワッシャ６とを挟んで、ホルダ部４をベース部３に対して固定することができる。そして、ホルダ部４には撮影レンズ１が固定できるので、ストッパ部５によってホルダ部４をベース部３に固定することで撮影レンズ１をカメラ装置本体２に固定することができる。
【００２８】
〈撮影レンズの取り付け方法及び調整方法〉
次に、カメラ装置本体２への撮影レンズ１の取り付け方法及び撮影レンズ１の取り付け位置の調整方法について説明する。カメラ装置本体２に撮影レンズ１を取り付ける場合は、先ず、撮影レンズ１の雄ねじ部１ａが形成された側の端部をストッパ部５、ワッシャ６に順に通す。その後、撮影レンズ１の雄ねじ部１ａとホルダ部４の雌ねじ部４ａとを螺合して撮影レンズ１とホルダ部４とを固定する。次に、撮影レンズ１のホルダ部４が固定されている側をカメラ装置本体２に設けられたベース部３に挿入し、ホルダ部４のフランジ部４ｂをベース部３に設けられた平面部３ｃに当接させる。その状態で、ストッパ部５の雄ねじ部５ｃをベース部３の雌ねじ部３ａに螺合する。
【００２９】
なお、ストッパ部５及びワッシャ６の内径が撮影レンズ１の光入射側の外径よりも大きい場合には、撮影レンズ１にホルダ部４を固定した後、撮影レンズ１の光入射側からワッシャ６及びストッパ部５を順に挿入してストッパ部５をベース部３に螺合してもよい。
【００３０】
ストッパ部５の雄ねじ部５ｃをベース部３の雌ねじ部３ａに螺合させながらストッパ部５を回転させていくことにより、ストッパ部５をカメラ装置本体２側に移動させる。そして、ストッパ部５のカメラ装置本体２側の端面がワッシャ６を介してホルダ部４のフランジ部４ｂに当接した後、さらにストッパ部５をベース部３に対して締め付けることで、ストッパ部５をベース部３に固定する。これにより、撮影レンズ１が固定されたホルダ部４がベース部３とストッパ部５との間で固定され、撮影レンズ１のカメラ装置本体２の取り付けが完了する。
【００３１】
次に、撮影レンズ１の取り付け位置の調整方法について説明する。前述したように、設計上は撮像センサ７における撮像面の撮影中心Ｏと、撮影レンズ１の光軸Ｃとが一致するように構成されるが、部品精度や組み立て精度によって、撮影中心Ｏと光軸Ｃとが一致することは少ない。図４は、図３のＢ−Ｂ線に沿う沿直線でカメラ装置１０を切断し矢印方向に見たときのカメラ装置１０の断面図であり、光軸Ｃと撮影中心Ｏが一致していない調整前の断面図である。
【００３２】
撮影レンズ１の位置を調整する前は、図４に示すように、撮影レンズ１の光軸Ｃと撮像センサ７の撮像中心Ｏがずれている。このずれは、部品精度や組み立て精度によるが、およそ０．０５ｍｍ〜０．２０ｍｍ程度である。
【００３３】
このような撮影レンズ１の光軸Ｃと撮像センサ７の撮影中心Ｏとのずれを補正し、撮影レンズ１の光軸Ｃと撮像センサ７の撮影中心Ｏとを一致させるため、まず、ストッパ部５を緩める方向に回転させる。図５は、ストッパ部５のベース部３に対する螺合を緩めた後の図１のＡ−Ａ線に沿う沿直線でカメラ装置１０を切断して矢印方向に見た断面図である。図５に示すように、ストッパ部５を緩める量は、ホルダ部４のフランジ部４ｂがベース部３の平面部３ｃから離れない程度で、かつ、ホルダ部４の平面がベース部３の平面部３ｃ上を摺動しながら移動可能となる程度である。
【００３４】
次に、カメラ装置１０によって撮影され、図示を省略する画像装置によって映し出された映像を見ながら、ホルダ部４の位置を撮影レンズ１の光軸Ｃに対して直交する方向に移動し、撮影レンズ１の光軸Ｃと撮像センサ７の撮像中心Ｏとを合わせる。ホルダ部４の移動可能な幅は、ベース部３の雌ねじ部３ａとホルダ部４のフランジ部４ｂの外周面との間にできた隙間Ｓ２の範囲内、すなわち、フランジ部４ｂの外周端とベース部３の内周面との間の距離である。
【００３５】
なお、ホルダ部４は、隙間Ｓ２の範囲内で移動させることができ、フランジ部４ｂの外周面がベース部３の雌ねじ部３ａに当接するまで移動させることができる。したがって、フランジ部４ｂの外径をベース部３の雌ねじ部３ａの内径に対してさらに小さくすることで、隙間Ｓ２の範囲を広げホルダ部４の移動可能な幅を広げることができる。ホルダ部４の移動可能な幅は、部位精度や組み立て精度によるずれ幅の最大幅を補正できる幅であればよい。
【００３６】
また、図３で示した隙間Ｓ１を隙間Ｓ２よりも十分に大きくすることで、ホルダリング４ｃの外周面がベース部３の縮径部３ｂの内径に当接することがないので、縮径部３ｂによってホルダ部４の移動が制限されることはない。
【００３７】
そして、本実施形態では、ホルダ部４のフランジ部４ｂがワッシャ６を介してベース部３の平面部３ｃから離れない程度にストッパ部５を緩める。このため、ホルダ部４は撮影レンズ１の光軸Ｃに平行な方向へはあまり動かず、主に光軸Ｃに直交する方向にベース部３の平面部３ｃ上を摺動移動する。これにより、ユーザは、ホルダ部４の調整を安定して行うことができる。
【００３８】
図６は、図３のＢ−Ｂ線に沿う沿直線でカメラ装置１０を切断し矢印方向に見たときのカメラ装置１０の断面図であり、調整後の断面図である。図５に示すように、撮影レンズ１の光軸Ｃと撮像センサ７の撮像中心Ｏとが一致した位置でホルダ部４に近づく方向にストッパ部５を回転させ、ストッパ部５をベース部３に対して締め付ける。これにより、撮影レンズ１の光軸Ｃと撮像センサ７の撮像中心Ｏとが一致した位置でホルダ部４とベース部３との位置を固定することができる。
【００３９】
そして、本実施形態では、撮影レンズ１をカメラ装置本体２に取り付けた際にホルダ部４はベース部３の内周側に保持され、図１に示すように、ホルダ部４が外側に露出されない。これにより、撮影レンズ１をカメラ装置本体２に固定した後は、撮影レンズ１の取り付け位置を安定的に維持することができる。
【００４０】
このように、本実施形態のカメラ装置１０では、ストッパ部５のベース部３に対する締め付けを緩めた状態でホルダ部４を隙間Ｓ２の範囲内で自由に移動させることができる。したがって、撮影レンズ１の位置を複数本の締め付けねじで調整する構成と比較し、本実施形態のカメラ装置１０は撮影レンズ１の取り付け位置の調整が容易である。さらに、撮影レンズ１のカメラ装置本体２への固定に関しても、本実施形態では、ストッパ部５を回転させて締め付ける動作で簡単に固定することができる。これにより、本実施形態のカメラ装置１０では、小型化及びコストの低減化を図ることができる。
【００４１】
また、撮影レンズ１のカメラ装置本体２への取り付け位置の調整が簡単であるため、カメラ装置１０を監視カメラとして用い、所定の場所に設置する場面において簡単に撮影レンズ１の光軸Ｃと撮像センサ７の撮像中心Ｏとを容易に合わせ込むことができる。
【００４２】
そして、本実施形態では、撮影レンズ１の光軸Ｃと撮像センサ７の撮像中心Ｏとを一致させることができるので、撮影レンズ１として広角レンズを用いた場合にも、ケラレの発生を抑制することができる。
【００４３】
本実施形態では、ワッシャ６として、表面が平らな平ワッシャを用いる例としたが、その他、表面が波状の波ワッシャを用いてもよい。波ワッシャを用いる場合には、撮影レンズ１の取り付け位置の調整時において、ストッパ部５の螺合を緩めた場合にも、波ワッシャが潰れた状態から元の形状にもどる復元力により、ホルダ部４のフランジ部４ｂはベース部３の平面部３ｃ側へ付勢される。このため、ストッパ部５を緩めることができる範囲を広くでき、ホルダ部４の位置の調整作業がより容易になる。
【００４４】
本実施形態では、ベース部３に雌ねじ部３ａを設け、ストッパ部５に雄ねじ部５ｃを設けてそれらを螺合する構成としたがこれに限られるものではない。ベース部３とストッパ部５とでホルダ部４を挟んで固定でき、かつ、ホルダ部４をベース部３に対して撮影レンズ１の光軸Ｃと直交する方向に移動できる構成であれば種々の構成を採用することができる。
【００４５】
以上、本発明について、実施形態に基づいて説明したが、本発明は上述の実施形態に記載した構成に限定されるものではなく、その趣旨を逸脱しない範囲において適宜その構成を変更することができるものである。
【符号の説明】
【００４６】
１…撮影レンズ、２…カメラ装置本体、３…ベース部、３ｃ…平面部、４…ホルダ部、４ｂ…フランジ部、５…ストッパ部、５ｂ…フランジ部、６…ワッシャ、７…撮像センサ、９…筐体、１０…カメラ装置
【図１】
2016006456.tif 000003
【図２】
2016006456.tif 000004
【図３】
2016006456.tif 000005
【図４】
2016006456.tif 000006
【図５】
2016006456.tif 000007
【図６】
2016006456.tif 000008